【手続補正書】
【提出日】令和2年3月11日(2020.3.11)
【手続補正１】
【補正対象書類名】明細書
【補正対象項目名】０００７
【補正方法】変更
【補正の内容】
【０００７】
上記目的を達成するために、本発明の画像形成装置は、画像形成装置であって、前記画像形成装置の記憶手段に記憶されたファームウェアのバージョンの履歴情報と、前記画像形成装置による画像の印刷に使用される画像調整値の更新履歴とを前記記憶手段に記憶させる記憶制御手段と、前記画像形成装置のシステムの異常を検知する検知手段と、前記検知手段によって検知された異常の種別に従って、前記ファームウェアのバージョンの更新履歴に含まれるバージョンと、前記画像調整値の更新履歴に含まれる画像調整値を決定する決定手段と、前記決定手段によって決定されたバージョンのファームウェアと、前記決定された画像調整値に置き換える置き換え手段とを備えることを特徴とする。
【手続補正２】
【補正対象書類名】特許請求の範囲
【補正対象項目名】全文
【補正方法】変更
【補正の内容】
【特許請求の範囲】
【請求項１】
画像形成装置であって、
前記画像形成装置の記憶手段に記憶されたファームウェアのバージョンの履歴情報と、前記画像形成装置による画像の印刷に使用される画像調整値の更新履歴とを前記記憶手段に記憶させる記憶制御手段と、
前記画像形成装置のシステムの異常を検知する検知手段と、
前記検知手段によって検知された異常の種別に従って、前記ファームウェアのバージョンの更新履歴に含まれるバージョンと、前記画像調整値の更新履歴に含まれる画像調整値を決定する決定手段と、
前記決定手段によって決定されたバージョンのファームウェアと、前記決定された画像調整値に置き換える置き換え手段とを備えることを特徴とする画像形成装置。
【請求項２】
前記異常は、前記画像形成装置の起動不良、画像の印刷不良、スキャン動作の不具合、プリント動作の不具合のいずれかであることを特徴とする請求項１記載の画像形成装置。
【請求項３】
前記ファームウェアのバージョンの更新履歴は、前記ファームウェアを使って前記画像形成装置が正常に起動した回数を含むことを特徴とする請求項１又は２記載の画像形成装置。
【請求項４】
前記ファームウェアのバージョンの更新履歴は、前記ファームウェアを使って前記画像形成装置によりプリントした枚数を含むことを特徴とする請求項１又は２記載の画像形成装置。
【請求項５】
前記ファームウェアのバージョンの更新履歴は、前記ファームウェアの更新日、前記ファームウェアを使って前記画像形成装置によりスキャンした回数の少なくともいずれかを含むことを特徴とする請求項３又は４記載の画像形成装置。
【請求項６】
前記画像調整値の更新履歴は、前記画像形成装置により前記画像調整値を使ってプリントした枚数を含むことを特徴とする請求項１乃至５のいずれか１項に記載の画像形成装置。
【請求項７】
前記決定手段は、前記検知手段によって検知された異常の種別が前記画像形成装置の起動不良である場合、前記ファームウェアのバージョンの更新履歴に含まれるバージョンであって前記画像形成装置が正常に起動した回数が所定回数以上のファームウェアのバージョンに決定することを特徴とする請求項３記載の画像形成装置。
【請求項８】
前記決定手段は、前記検知手段によって検知された異常の種別がプリント動作の不具合である場合、前記ファームウェアのバージョンの更新履歴に含まれるバージョンであって前記プリントした枚数が所定枚数以上のファームウェアのバージョンに決定することを特徴とする請求項４記載の画像形成装置。
【請求項９】
前記決定手段は、前記検知手段によって検知された異常の種別が前記画像形成装置のプリント動作の不具合である場合、前記画像調整値の更新履歴に含まれる画像調整値であって前記プリントした枚数が他の所定枚数以上の画像調整値に決定することを特徴とする請求項６記載の画像形成装置。
【請求項１０】
画像形成装置の制御方法であって、
前記画像形成装置の記憶手段に記憶されたファームウェアのバージョンの履歴情報と、前記画像形成装置による画像の印刷に使用される画像調整値の更新履歴とを前記記憶手段に記憶させる記憶制御ステップと、
前記画像形成装置のシステムの異常を検知する検知ステップと、
前記検知ステップにて検知された異常の種別に従って、前記ファームウェアのバージョンの更新履歴に含まれるバージョンと、前記画像調整値の更新履歴に含まれる画像調整値を決定する決定ステップと、
前記決定ステップにて決定されたバージョンのファームウェアと、前記決定された画像調整値に置き換える置き換えステップとを有することを特徴とする画像形成装置の制御方法。
【請求項１１】
前記異常は、前記画像形成装置の起動不良、画像の印刷不良、スキャン動作の不具合、プリント動作の不具合のいずれかであることを特徴とする請求項１０記載の画像形成装置の制御方法。
【請求項１２】
前記ファームウェアのバージョンの更新履歴は、前記ファームウェアを使って前記画像形成装置が正常に起動した回数を含むことを特徴とする請求項１０又は１１記載の画像形成装置の制御方法。
【請求項１３】
前記ファームウェアのバージョンの更新履歴は、前記ファームウェアを使って前記画像形成装置によりプリントした枚数を含むことを特徴とする請求項１０又は１１記載の画像形成装置の制御方法。
【請求項１４】
前記ファームウェアのバージョンの更新履歴は、前記ファームウェアの更新日、前記ファームウェアを使って前記画像形成装置によりスキャンした回数の少なくともいずれかを含むことを特徴とする請求項１２又は１３記載の画像形成装置の制御方法。
【請求項１５】
前記画像調整値の更新履歴は、前記画像形成装置により前記画像調整値を使ってプリントした枚数を含むことを特徴とする請求項１０乃至１４のいずれか１項に記載の画像形成装置の制御方法。
【請求項１６】
前記決定ステップは、前記検知ステップにて検知された異常の種別が前記画像形成装置の起動不良である場合、前記ファームウェアのバージョンの更新履歴に含まれるバージョンであって前記画像形成装置が正常に起動した回数が所定回数以上のファームウェアのバージョンに決定することを特徴とする請求項１２記載の画像形成装置の制御方法。
【請求項１７】
前記決定ステップは、前記検知ステップにて検知された異常の種別がプリント動作の不具合である場合、前記ファームウェアのバージョンの更新履歴に含まれるバージョンであって前記プリントした枚数が所定枚数以上のファームウェアのバージョンに決定することを特徴とする請求項１３記載の画像形成装置の制御方法。
【請求項１８】
前記決定ステップは、前記検知ステップにて検知された異常の種別が前記画像形成装置のプリント動作の不具合である場合、前記画像調整値の更新履歴に含まれる画像調整値であって前記プリントした枚数が他の所定枚数以上の画像調整値に決定することを特徴とする請求項１５記載の画像形成装置の制御方法。
【請求項１９】
画像形成装置の制御方法をコンピュータに実行させるプログラムであって、
前記画像形成装置の制御方法は、
前記画像形成装置の記憶手段に記憶されたファームウェアのバージョンの履歴情報と、前記画像形成装置による画像の印刷に使用される画像調整値の更新履歴とを前記記憶手段に記憶させる記憶制御ステップと、
前記画像形成装置のシステムの異常を検知する検知ステップと、
前記検知ステップにて検知された異常の種別に従って、前記ファームウェアのバージョンの更新履歴に含まれるバージョンと、前記画像調整値の更新履歴に含まれる画像調整値を決定する決定ステップと、
前記決定ステップにて決定されたバージョンのファームウェアと、前記決定された画像調整値に置き換える置き換えステップとを有することを特徴とするプログラム。